(57)【要約】      （修正有）【課題】金属製の線材を巻装して運搬するためのキャリアへの線材の外嵌、巻装作業を行う際に、線材に傷が付くのを防止することができ、且つ簡単にキャリアに装着することのできるキャリア用パイプカバーを提供する。【解決手段】基台部と該基台部に立設された複数の立設杆とからなり、該複数の立設杆の外側に金属製線材を巻装して運搬するためのキャリア用のパイプカバーであって、パイプカバー本体が前記複数の立設杆のそれぞれに外嵌可能となるようなパイプ状に形成され、且つ該パイプカバー本体の縦方向に切欠部が形成され、しかも該切欠部を介して前記パイプカバー本体を前記立設杆に外嵌させる際に、前記切欠部を拡開させて前記パイプカバー本体を前記立設杆に外嵌入させることができるとともに、外嵌入後に前記パイプカバー本体が復元して前記立設杆に抱着されるように、前記パイプカバー本体が可撓性を有して構成されている。【選択図】図１
0003122966.tif 000002
【実用新案登録請求の範囲】
【請求項１】
基台部（８）と該基台部（８）に立設された複数の立設杆（９）とからなるキャリア（６）の、前記複数の立設杆（９）の外側に金属製の線材（１０）を巻装して運搬するためのキャリア用のパイプカバーであって、パイプカバー本体（１）が前記複数の立設杆（９）のそれぞれに外嵌可能となるようなパイプ状に形成され、且つ該パイプカバー本体（９）の縦方向に切欠部（２）が形成され、しかも該切欠部（２）を介して前記パイプカバー本体（１）を前記立設杆（９）に外嵌させる際に、前記切欠部（２）を拡開させて前記パイプカバー本体（１）を前記立設杆（９）に外嵌入させることができるとともに、外嵌入後に前記パイプカバー本体（１）が復元して前記立設杆（９）に抱着されるように、前記パイプカバー本体（１）が可撓性を有して構成されていることを特徴とする金属製線材巻装、運搬用のキャリア用パイプカバー。
【請求項２】
パイプカバー本体（１）がポリプロピレン又はポリエチレンで構成されている請求項１記載の金属製線材巻装、運搬用のキャリア用パイプカバー。
【請求項３】
パイプカバー本体（１）の上端縁が斜めに形成されている請求項１又は２記載の金属製線材巻装、運搬用のキャリア用パイプカバー。
【考案の詳細な説明】
【技術分野】
【０００１】
本考案は、金属製線材巻装、運搬用のキャリア用パイプカバー、さらに詳しくは、金属製の線材を巻装して運搬するためのキャリアに、前記線材を巻装する際に、線材に傷が付かないようにキャリアに装着するためのキャリアパイプカバーに関する。
【背景技術】
【０００２】
一般に、金属製の線材等は、コイル状、筒状等に巻装した状態で紙等の包装材で包装されるが、このような線材は、ノズル等から下向きに落下させつつ供給される。この場合、そのまま落下させると、筒状に巻装できないため、筒状に巻装する作業は、図８及び図９に示すようなキャリア６を用いて行われる。
【０００３】
すなわち、このキャリア６は金属等のパイプで製造されたもので、図８及び図９に示すように、４箇所の湾曲部７を有する基台部８と、該基台部８から立設された平面略十字状に配置された立設杆９とで構成されたものである。
【０００４】
そして、図１０に示すように、線材１０が下向きに落下されつつ供給されながら前記キャリア６の立設杆９の外側に外嵌され、図１１に示すように立設杆９の所定の高さまで線材１０が外嵌されてコイル状に巻装されると、線材１０の供給が停止されて、輸送車等に積載されて運搬されることとなる。
【０００５】
しかしながら、上記のような線材１０は金属製のものであるため、上記のように下向きに落下されつつ供給されてキャリア６の立設杆９に外嵌される際に、そのキャリア６の立設杆９に直接接触して線材１０に傷が付くおそれがある。
【０００６】
このように線材１０に傷が付くのを防止するために、たとえば包材をキャリア６に外嵌させ、その包材の外側に線材１０を供給してコイル状に巻装することも行われているが、このような包材をキャリア６の立設杆９に外嵌させて設置する作業自体が結構煩雑であり、また線材１０をノズルから供給してキャリア６側へ落下させる際に、包材に線材１０が引っかかるおそれがある。
【考案の開示】
【考案が解決しようとする課題】
【０００７】
本考案は、このような問題点を解決するためになされたもので、上記のようなキャリアへの線材の外嵌、巻装作業を行う際に、上記のような包材を用いずに、
線材に傷が付くのを防止することができ、且つ簡単にキャリアに装着することのできるキャリア用パイプカバーを提供することを課題とするものである。
【課題を解決するための手段】
【０００８】
本考案は、このような課題を解決するためになされたもので、請求項１記載の考案は、基台部８と該基台部８に立設された複数の立設杆９とからなり、該複数の立設杆９の外側に金属製線材１０を巻装して運搬するためのキャリア６用のパイプカバーであって、パイプカバー本体１が前記複数の立設杆９のそれぞれに外嵌可能となるようなパイプ状に形成され、且つ該パイプカバー本体１の縦方向に切欠部２が形成され、しかも該切欠部２を介して前記パイプカバー本体１を前記立設杆９に外嵌させる際に、前記切欠部２を拡開させて前記パイプカバー本体１を前記立設杆９に外嵌入させることができるとともに、外嵌入後に前記パイプカバー本体１が復元して前記立設杆９に抱着されるように、前記パイプカバー本体１が可撓性を有して構成されていることを特徴とする。
【０００９】
請求項２記載の考案は、請求項１記載の金属製線材巻装、運搬用のキャリア用パイプカバーにおいて、パイプカバー本体１がポリプロピレン又はポリエチレンで構成されていることを特徴とする。
【００１０】
請求項３記載の考案は、請求項１又は２記載の金属製線材巻装、運搬用のキャリア用パイプカバーにおいて、パイプカバー本体１の上端縁３が斜めに形成されていることを特徴とする。
【考案の効果】
【００１１】
本考案は、上述のように、パイプカバー本体がキャリアの複数の立設杆のそれぞれに外嵌可能となるようなパイプ状に形成され、且つ該パイプカバー本体の縦方向に切欠部が形成され、しかも該切欠部を介して前記パイプカバー本体を前記立設杆に外嵌させる際に、前記切欠部を拡開させて前記パイプカバー本体を前記立設杆に外嵌入させることができるとともに、外嵌入後に前記パイプカバー本体が復元して前記立設杆に抱着されるように、前記パイプカバー本体が可撓性を有して構成されているものであるため、このようなパイプカバーを装着する場合には、上記のように切欠部を拡開させて前記パイプカバー本体を前記立設杆に外嵌入させると、その外嵌入後にパイプカバー本体が復元して前記立設杆に抱着されることとなる。
【００１２】
従って、パイプカバーを装着する作業を非常に簡易に且つワンタッチの作業で行うことができる。
【００１３】
しかも、装着後においては、キャリアの立設杆のそれぞれにパイプカバーが装着されているため、線材が下向きに落下されつつキャリア側へ供給される際に、その線材がキャリアの立設杆に接触して傷が付くのが、上記パイプカバーによって保護されることとなる。
【００１４】
また、パイプカバー本体がポリプロピレン又はポリエチレンで構成されている場合には、燃焼等による廃棄処理を行う場合にも、有毒ガスが発生するようなこともなく、また上記のようなキャリアの立設杆への適合性も優れている。
【００１５】
さらに、パイプカバー本体の上端縁が斜めに形成されている場合には、線材がパイプカバー本体の上端縁に引っ掛かる可能性がより少なくなるという利点がある。
【考案を実施するための最良の形態】
【００１６】
本実施形態のキャリア用パイプカバーのパイプカバー本体１は、図１乃至図３に示すように、細長い筒状に形成されたものであり、縦方向の全体に切欠部２が形成されている。このパイプカバー本体１は、上端３及び下端４がともに真っ直ぐに形成されている。
【００１７】
そして、前記パイプカバー本体１は、その全体がポリプロピレンで構成されている。
【００１８】
このような構成からなるキャリア用パイプカバーを使用する場合には、図４の矢印イ方向に示すようにパイプカバー本体１の切欠部２を拡開させ、その状態でパイプカバー本体１を矢印ロ方向に移動させて前記立設杆９に外嵌入させる。
【００１９】
このようにパイプカバー本体１を立設杆９に外嵌入させると、パイプカバー本体１は全体がポリプロピレンで構成されて可撓性を有しているため、切欠部２を拡開させていたパイプカバー本体１が内向きに復元し、図５に示すように立設杆９に抱着されることとなる。この結果、立設杆９は、図６に示すように所定の高さまでパイプカバーによって保護されることとなる。
【００２０】
このようにして、パイプカバーは、キャリア６の立設杆９から不用意に離脱することなく、確実に装着されることとなるのである。
【００２１】
そして、このようにパイプカバーがキャリア６の立設杆９に装着されると、線材１０が下向きに落下されつつキャリア６側へ供給される際に、その線材１０がキャリア６の立設杆９に接触して傷が付くのが、上記パイプカバーによって保護されることとなる。
【００２２】
尚、上記実施形態では、パイプカバー本体１の上端３が真っ直ぐに形成されていたが、これに限らず、パイプカバー本体１の上端３は図７に示すように斜めに形成されていてもよい。
【００２３】
また、上記実施形態では、パイプカバー本体１の全体がポリプロピレンで構成されていたが、パイプカバー本体１の材質はこれに限定されるものではなく、たとえばポリエチレンで構成されていてもよく、さらには、これらのポリオレフィン系樹脂以外の素材のもので構成されていてもよい。ただし、パイプカバー本体１がポリプロピレン又はポリエチレンで構成されている場合には、上述のように燃焼等による廃棄処理を行う場合にも、有毒ガスが発生するようなこともなく、キャリアの立設杆への適合性も優れているという利点がある。
【００２４】
さらに、パイプカバーを装着するキャリアの形状、構造も該実施形態に限定されるものではない。要は、基台部８に立設された複数の立設杆９が立設された構成のものであればよい。
【図面の簡単な説明】
【００２５】
【図１】一実施形態のキャリア用保護パイプの正面図。
【図２】同側面図。
【図３】図１のＡ−Ａ線拡大断面図。
【図４】パイプカバーをキャリアの立設杆に装着する操作を示す要部拡大断面図。
【図５】パイプカバーをキャリアの立設杆に装着した状態の要部拡大断面図。
【図６】パイプカバーをキャリアの立設杆に装着した状態の正面図。
【図７】他実施形態のパイプカバーの側面図。
【図８】キャリアを示す正面図。
【図９】同キャリアの平面図。
【図１０】キャリアに線材を供給する状態の斜視図。
【図１１】キャリアに線材を外嵌した状態の平面図。
【符号の説明】
【００２６】
１…パイプカバー本体        ２…切欠部
６…キャリア              ９…立設杆
【図１】
0003122966.tif 000003
【図２】
0003122966.tif 000004
【図３】
0003122966.tif 000005
【図４】
0003122966.tif 000006
【図５】
0003122966.tif 000007
【図６】
0003122966.tif 000008
【図７】
0003122966.tif 000009
【図８】
0003122966.tif 000010
【図９】
0003122966.tif 000011
【図１０】
0003122966.tif 000012
【図１１】
0003122966.tif 000013